(57)【要約】【課題】  その目的とするところは、軽量でありながら高級感があり、しかも、変形による上着の型崩れを抑制することのできる衣服用ハンガーを提供する点にある。【解決手段】上着を掛け止め自在な上着掛け部１に吊下げ部材４が設けられ、前記上着掛け部１が、下方に開口部する中空状の掛け本体２と、これの開口部２Ｃに閉止状態で嵌合する蓋体３とから構成されている。【選択図】        図１
2007325785.tif 000002
【特許請求の範囲】
【請求項１】
上着を掛け止め自在な上着掛け部に吊下げ部材が設けられている衣服用ハンガーであって、前記上着掛け部が、下方に開口部する中空状の掛け本体と、これの開口部に閉止状態で嵌合する蓋体とから構成されている衣服用ハンガー。
【請求項２】
上着を掛け止め自在な上着掛け部に吊下げ部材が設けられている衣服用ハンガーであって、前記上着掛け部が、下方に開口部する中空状の掛け本体と、これの開口部に閉止状態で嵌合する蓋体とから構成されているとともに、前記掛け本体と閉止姿勢にある蓋体とを固定する連結手段に、前記吊下げ部材の取付け軸部が形成されている衣服用ハンガー。
【請求項３】
前記上着掛け部の蓋体の長手方向両端部に亘ってズボン掛け体が架設され、このズボン掛け体と掛け本体とを共締め固定する共締め手段が設けられている請求項１又は２記載の衣服用ハンガー。
【請求項４】
前記連結手段が、掛け本体に形成された取付け孔の外面周縁に当接する鍔部を備え、且つ、前記取付け孔を通して蓋体側に挿入される下端部が異径軸部に形成されている連結軸と、前記連結軸の異径軸部に相対回転不能に嵌合する嵌合部を備えた蓋体側の固定連結体と、前記連結軸と固定連結体とを蓋体の下面側から螺合固定する連結ネジから構成されているとともに、前記吊下げ部材の取付け軸部が、前記連結軸の上側部に形成された吊下げ部材の取付け軸部が圧入可能な取付け孔から構成されている請求項２記載の衣服用ハンガー。
【請求項５】
前記掛け本体及び蓋体が合成樹脂で成形されているとともに、前記連結軸が掛け本体及び蓋体よりも軟質の合成樹脂で成形されている請求項４記載の衣服用ハンガー。
【請求項６】
前記吊下げ部材の取付け軸部には、連結軸の取付け孔の内周面に食い込む抜止め突起が形成されている請求項４又は５記載の衣服用ハンガー。
【請求項７】
前記共締め固定手段が、掛け本体の内面から下方に突設された第１取付け筒部と、これに当接する状態で蓋体の内面から上方に突設された第２取付け筒部と、この両取付け筒部とズボン掛け体の端部とを下方から螺合固定する共締めネジから構成されている請求項３記載の衣服用ハンガー。
【請求項８】
前記蓋体の周縁には、前記掛け本体の内面の開口部周縁に形成された環状溝に下方から嵌合する環状突起が形成されている請求項１〜７のいずれか１項に記載の衣服用ハンガー。
【発明の詳細な説明】
【技術分野】
【０００１】
本発明は、上着を掛け止め自在な上着掛け部に吊下げ部材が設けられている衣服用ハンガーに関する。
【背景技術】
【０００２】
古くから背広等の洋服を掛ける衣服用ハンガーはよく知られており、使用素材も木材、合成樹脂材、針金材等から形成されて家庭用から業務用まで多様なものが存在している。
このような中でも、合成樹脂材から製作されている衣服用ハンガーは、下方が開口部する中空の上着掛け部の左右中央部にフックを取り付けたもが一般的によく知られている（例えば、特許文献１を参照）。
【０００３】
【特許文献１】特開平８−２５６８９８号公報（第３頁、図１）
【発明の開示】
【発明が解決しようとする課題】
【０００４】
しかしながら、このような衣服用ハンガーは、下方が開口部する薄肉な樹脂材で形成された樹脂成型品であることが一目でわかるものであることによって、木製の衣服ハンガーに比して軽量であるものの上着掛け部の変形によって上着の型崩れを招き易く、大量生産品で安物感のするものであった。
そのため、この種の衣服用ハンガーは、安価な大衆用の商品としての市場を形成する現状にとどまっている問題がある。
【０００５】
本発明は上記の事情に鑑みてなされたものであり、その目的とするところは、軽量でありながら高級感があり、しかも、変形による上着の型崩れを抑制することのできる衣服用ハンガーを提供する点にある。
【課題を解決するための手段】
【０００６】
本発明の第１番目の衣服用ハンガーの特徴構成は、上着を掛け止め自在な上着掛け部に吊下げ部材が設けられている衣服用ハンガーであって、前記上着掛け部が、下方に開口部する中空状の掛け本体と、これの開口部に閉止状態で嵌合する蓋体とから構成されている点にある。
このような構成によれば、上着掛け部が、掛け本体に嵌合状態で蓋体が閉止されていることによって、掛け本体と蓋体とが一体化され内部の中空空間が隠されて、全体として軽量で立体感のある衣服用ハンガーを形成することができると同時に、上着掛け部に蓋体が嵌合することによって頑丈で変形抑制を備えた上着掛け部を形成することができる。
【０００７】
従って、例えば、上着掛け部の下面が開口部して安価な合成樹脂成型品といったイメージのある従来の衣服用ハンガーなどと比べて、蓋体によって掛け本体の下方の開口部が閉じられて立体感のある衣服用ハンガーを安価に形成しながらも高級感を形成することができる。
また、全体的には立体感を形成していながら、嵌合された掛け本体と蓋体の間は中空空間であるので、重量的には見た目とは異なり軽い衣服用ハンガーを形成することができるので、使い勝手がよい利点を有する。
さらに、掛け本体の開口部に蓋体を嵌合することによって、掛け本体の開口部に対して蓋体を閉止状態にすることができるので、型崩れし難い衣服用ハンガーを形成することができるので、使用品質の向上を図ることができる。
【０００８】
本発明の第２番目の衣服用ハンガーの特徴構成は、上着を掛け止め自在な上着掛け部に吊下げ部材が設けられている衣服用ハンガーであって、前記上着掛け部が、下方に開口部する中空状の掛け本体と、これの開口部に閉止状態で嵌合する蓋体とから構成されているとともに、前記掛け本体と閉止姿勢にある蓋体とを固定する連結手段に、前記吊下げ部材の取付け軸部が形成されている点にある。
【０００９】
このような構成によれば、掛け本体と蓋体とを固定連結するために必要となる連結手段を、吊下げ部材の取付け軸部を形成することにより、部品点数の削減を図ることができるばかりではなく、これに連結手段によって高まる剛性を利用して吊下げ部材を頑丈に取り付けることができる。
【００１０】
従って、上着掛け部が、掛け本体に嵌合状態で蓋体が閉止されていることによって、掛け本体と蓋体とが一体化され内部の中空空間が隠されて、全体として軽量で立体感のある衣服用ハンガーを形成することができると同時に、上着掛け部に蓋体が嵌合することによって頑丈で変形抑制を備えた上着掛け部を形成することができるので、上着掛け部の下面が開口部して安価な合成樹脂成型品といったイメージのある従来の衣服用ハンガーなどと比べて、蓋体によって掛け本体の下方の開口部が閉じられて立体感のある衣服用ハンガーを安価に形成しながらも高級感を形成することができる。
また、全体的には立体感を形成していながら、嵌合された掛け本体と蓋体の間は中空空間であるので、重量的には見た目とは異なり軽い衣服用ハンガーを形成することができるので、使い勝手がよい利点を有する。
さらに、掛け本体の開口部に蓋体を嵌合することによって、掛け本体の開口部に対して蓋体を閉止状態にすることができるので、型崩れし難い衣服用ハンガーを形成することができるので、使用品質の向上を図ることができる。
しかも、連結部材は、掛け本体と蓋体との連結と吊下げ部材の取付けとに兼用利用される構成であるので、例えば、連結部材と蓋体との連結と吊下げ部材の取付けとを個別の専用部品で製作する場合に比し、製作の容易化や製作に必要な部品点数の軽減化を図ることができる。
【００１１】
本発明の第３番目の衣服用ハンガーの特徴構成は、前記上着掛け部の蓋体の長手方向両端部に亘ってズボン掛け体が架設され、このズボン掛け体と掛け本体とを共締め固定する共締め手段が設けられている点にある。
【００１２】
このような構成によれば、上着掛け部を構成している掛け本体に対して蓋体は、共締め手段によるズボン掛け体の固定に伴って、掛け本体に対して蓋体を挟み込んだ状態で固定することができる。
【００１３】
従って、ズボン掛け体の固定に伴って掛け本体に対する蓋体の固定がなされるので、取り付け構造の簡素化を図ることができる。
【００１４】
本発明の第４番目の衣服用ハンガーの特徴構成は、前記連結手段が、掛け本体に形成された取付け孔の外面周縁に当接する鍔部を備え、且つ、前記取付け孔を通して蓋体側に挿入される下端部が異径軸部に形成されている連結軸と、前記連結軸の異径軸部に相対回転不能に嵌合する嵌合部を備えた蓋体側の固定連結体と、前記連結軸と固定連結体とを蓋体の下面側から螺合固定する連結ネジから構成されているとともに、前記吊下げ部材の取付け軸部が、前記連結軸の上側部に形成された吊下げ部材の取付け軸部が圧入可能な取付け孔から構成されている点にある。
【００１５】
このような構成によれば、掛け本体の取付け孔に挿入され且つ固定連結体で相対回転不能となった固定連結体に、蓋体を挟んで連結ネジを螺合することによって、掛け本体に対して蓋体を連結固定することができる。
また、この掛け本体と蓋体との連結固定に用いられた連結手段の連結軸に形成された取付け孔に、吊下げ部材の取付け軸部を圧入して取り付けることができる。
【００１６】
従って、掛け本体と蓋体の固定に用いる連結手段を、吊下げ部材の取付けに兼用利用する構成になっているので、取り付け構造の簡素化を図ることができる。
また、掛け本体と蓋体の固定においては、ネジ螺合といった簡単な連結操作によって行なうことができ、吊下げ部材の取付けにおいては、圧入といった簡単な取付け操作によって行なうことができるので、製作性がよい。
【００１７】
本発明の第５番目の衣服用ハンガーの特徴構成は、前記掛け本体及び蓋体が合成樹脂で成形されているとともに、前記連結軸が掛け本体及び蓋体よりも軟質の合成樹脂で成形されている点にある。
【００１８】
このような構成によれば、連結軸の取付け孔に吊下げ部材の取付け軸部を圧入することによって、連結軸の取付け孔の弾性変形に抗して吊下げ部材の取付け軸部を受け入れ、この受け入れ状態で取付け軸部に弾性復元力が作用することによって、吊下げ部材の取付け軸部が取付け孔で保持され、連結軸に吊下げ部材を取付けることができる。
【００１９】
従って、掛け本体に蓋体を連結するために用いられる連結部材を吊下げ部材の取付け軸部材に兼用利用することができることに加えて、吊下げ部材の連結軸を連結軸の取付け孔に圧入といった簡単な取付け操作によって吊下げ部材を取付けることができるので、製作性の向上を図ることができる。
【００２０】
本発明の第６番目の衣服用ハンガーの特徴構成は、前記吊下げ部材の取付け軸部には、連結軸の取付け孔の内周面に食い込む抜止め突起が形成されている点にある。
【００２１】
このような構成によれば、抜止め突起が吊下げ部材の取付け軸部に形成されていることによって、連結軸に対して吊下げ部材の抜止めが図られる。このことは、言い換えると、掛け本体と蓋体とが閉止状態に嵌合固定されて上着掛け部の形成を荷った連結手段の連結軸に、吊下げ部材の取付け軸部が抜止め状態に取付けられていることでもあるので、吊下げ部材に対して上着掛け部が上着を掛けた重量負担を確実に受止め支持させることができる。
【００２２】
従って、衣服用ハンガーとしての使用品質の向上を図ることができる。
【００２３】
本発明の第７番目の衣服用ハンガーの特徴構成は、前記共締め固定手段が、掛け本体の内面から下方に突設された第１取付け筒部と、これに当接する状態で蓋体の内面から上方に突設された第２取付け筒部と、この両取付け筒部とズボン掛け体の端部とを下方から螺合固定する共締めネジから構成されている点にある。
【００２４】
このような構成によれば、第１取付け筒部と第２取付け筒部とズボン掛け体の端部とを共締めネジによって螺合固定することによって、掛け本体の第１取付け筒部と蓋体の第２取付け筒部とズボン掛け体とが一体化された固定状態となる。しかも、第１取付け筒部と第２取付け筒部とが当接状態となり、掛け本体と蓋体との間で一体化された筒部が形成されて、上着掛け部の強度を増す芯材として作用することになるので、上着掛け部の変形を防止することができる。
【００２５】
従って、ズボン掛け体の取付けを兼ねながら上着掛け部の耐変形強度を向上することができるので、簡単な構造でありながら強度品質の向上を図ることができる。
【００２６】
本発明の第８番目の衣服用ハンガーの特徴構成は、前記蓋体の周縁には、前記掛け本体の内面の開口部周縁に形成された環状溝に下方から嵌合する環状突起が形成されている点にある。
【００２７】
このような構成によれば、掛け本体の環状溝に蓋体の環状突起を嵌合して、掛け本体に蓋体を閉止状態に連結することによって、確実に掛け本体の開口部が蓋体で保形支持された状態となるので、両者のずれが防止されるとともに、掛け本体の開口部の変形を防止することができる。
【００２８】
従って、掛け本体の開口部を閉止状態に蓋体が嵌合して形成される上着掛け部の強度品質の向上を図ることができる。
【発明を実施するための最良の形態】
【００２９】
以下、本発明の衣服用ハンガーの一実施例を図面に基づいて説明する。
［第１実施形態］
この実施形態の衣服用ハンガーＡは、図１、図２に示すように、左右両端に上着の肩部分に対応して肩受けとなる肩部２Ａ，２Ａが形成されているとともに、左右中央に上着の首に対応する首部２Ｂが一体形成されている上着掛け部１と、これの首部２Ｂに相対回動可能に設けられた吊り下げ部材４と、前記左右の肩部２Ａ，２Ａに跨って架設されているズボン掛け体５とから構成されている。
【００３０】
前記上着掛け部１は、下方に開口部２Ｃする合成樹脂製で成型されている中空状の掛け本体１２と、これの開口部２Ｃを連結手段６により閉止状態に連結する合成樹脂製で成型されている蓋体３とから構成されている。
【００３１】
前記掛け本体２の下部は、正面視で左右中央部が頂点となる湾曲形状に形成され、下方の開口部２Ｃもその正面視でその湾曲に沿った開口部形状に形成されている。これに対して、蓋体３は、掛け本体２の開口部２Ｃに対応する正面視で左右中央は頂点となる湾曲形状に形成され、掛け本体２の開口部２Ｃに対して蓋体３を内嵌状態に取り付け可能になっている。
【００３２】
掛け本体２には、開口部２Ｃの周縁に沿って内向きの環状溝２ｄが形成され、この環状溝２ｄに対応する環状突起３ａが蓋体３の周縁に沿って突出して形成されており、掛け本体２の開口部２Ｃに蓋体３を閉止した状態で環状溝２ｄに環状突起３ａが嵌合して、正面視や背面視からは両部材２，３の嵌合部分が見えないようになっている。
【００３３】
前記掛け本体２と閉止姿勢にある蓋体３とは、連結手段６によって連結可能に構成されており、この連結手段６には、前記吊下げ部材４の取付け軸部６ａが形成されている。
【００３４】
前記連結手段６は、図３に示すように、掛け本体２の首部中央部に形成された取付け孔２ｅと、この取付け孔２ｅより掛け本体２内に挿入可能で、その挿入状態で取付け孔２ｅの外周縁に当接する取付け孔２ｅより大径の鍔部６ｂが形成されているとともに、掛け本体２内で閉止する蓋体３に臨む先端にネジ受け孔６ｃが形成された筒状の連結軸６Ａと、これに対応する蓋体３に一体形成された挿通孔３ｂａが形成された固定連結体３ｂを通してネジ螺合可能な連結ネジａとから構成されている。
【００３５】
また、連結軸６Ａの下端部には、横断面形状が小判状の異径軸部６ｄが形成されており、これに対応する小判状の断面空間に形成された嵌合部３ｃが前記蓋体３側の固定連結体３ｂと軸線を同じに連通形成されており、掛け本体２に蓋体３を閉止する状態にすることに伴って、前記異径軸部６ｄが前記嵌合部３ｃに係合状態となって、連結軸６Ａが回り止め状態になるようになっている。
【００３６】
前記連結軸６Ａに形成された吊下げ部材４の取付け軸部６ａは、鍔部６ｂから長手方向に沿って形成された取付け孔から構成されている。
【００３７】
前記吊下げ部材４は、図３に示すように、アルミニューム杆をクエスションマーク状に曲げ形成されたフックであり、フック基端側の直線棒部分が、前記連結軸６Ａに形成された取り付け部である取付け孔６ａに圧入可能な取付け軸部４ａに構成されている。この取付け軸部４ａには、連結軸６Ａの取付け孔６ａに食い込む環状の抜止め突起４ｂが長手方向に沿って複数形成されている。
【００３８】
前記連結軸６Ａは、吊下げ部材４よりも軟質の合成樹脂材によって形成されており、吊下げ部材４の取付け軸部４ａを連結軸６Ａの取付け孔６ａに圧入することによって、吊下げ部材４の取付け軸部４ａを取付け孔６ａの弾性変形に抗して受け入れ、この状態で連結軸６Ａの弾性復元力が取付け軸部４ａに作用することによって、吊下げ部材４の取付け軸部４ａが相対回動自在に且つ抜止め状態に保持される。
【００３９】
前記吊下げ部材４の取付け軸部４ａの外径は、連結軸６Ａの取り付け孔６ａの内径と同径か僅かに大径に形成されているが、取付け軸部４ａには連結軸６Ａの取り付け孔６ａに食い込む抜止め突起４ｂが形成されているので、連結軸６Ａの取付け軸部４ａの外径を取り付け孔６ａの内径より僅かに小径に形成してもよい。
【００４０】
前記上着掛け部１には、両端の肩部２Ａ，２Ａに亘ってズボン掛け体５が架設され、このズボン掛け部５の両端部は、掛け本体２に対して共締め手段７によって蓋体３を挟み込んだ状態で固定されている。
【００４１】
前記ズボン掛け体５は、図１、図２、図４に示すように、断面が略楕円形状の中実の合成樹脂製で成型されている棒状体であり、上面には長手方向に直交する方向に複数の凸条からなる滑り止め５ｂが長手方向に沿って形成されている。
【００４２】
この実施形態の掛け本体２、蓋体３、ズボン掛け体５は、樹脂成型の際に例えば、大理石調や翡翠等の模様と色彩と光沢が施されている。
【００４３】
前記共締め手段７は、図４に示すように、掛け本体２の両端部の肩部２Ａ，２Ａの内面から下方の蓋体３に向かって筒状に突設され且つネジ受け穴２ｆａが形成された第１取付け筒部２ｆと、これに当接する状態で蓋体３の内面から上方に突設され且つネジ挿通孔３ｄａが形成された第２取付け筒部３ｄと、これに対応するズボン掛け体５の両端に形成されたネジ挿通孔５ａと、ズボン掛け体５のネジ挿通孔５ａから蓋体３の第２取付け筒部３ｄを通して掛け本体２の第１取付け筒部２ｆのネジ受け穴２ｆａに螺合可能なタッピングネジからなる共締めネジｂとから構成されている。
【００４４】
このような共締め手段７によれば、ズボン掛け体５のネジ挿通孔５ａおよび蓋体３の第２取付け筒部３ｄを通して、掛け本体２の第１取付け筒部２ｆのネジ受け穴２ｆａに共締めネジｂを螺合することによって、掛け本体２と共締めネジｂとの間に蓋体３とズボン掛け体５を共締め状態に固定することができる。
【００４５】
また、この実施形態においては、掛け本体２に蓋体３が閉止姿勢にあるとき、掛け本体側２の筒状の第１取付け筒部２ｆと蓋体３側の第２取付け筒部３ｄとが突き合わせ状態となって、掛け本体２と蓋体３とが柱状となった支持構造を形成する。
【００４６】
次に、この実施形態の衣服用ハンガーＡの組み立て手順の一例を説明する。
まず、掛け本体２に、掛け本体２の開口部２Ｃに蓋体３を閉止状態に内嵌した後、連結軸６Ａの異径軸部６ｄを蓋体３の嵌合部３ｃに係合状態になるように掛け本体２に連結軸６Ａを挿入する。この状態で掛け本体２の両端の肩部２Ａ，２Ａの第１取付け筒部２ｆが蓋体３の両端の第２取付け筒部３ｄとの先端面同士が突き合わせ状態となる。
【００４７】
次いで、蓋体３の固定連結体３ｄを通してタッピングネジなどからなる連結ネジａを連結軸６Ａのネジ挿通孔６ｃに螺合することによって、掛け本体２と蓋体３が連結状態となる。
【００４８】
次いで、蓋体３の両端の共締め用固定連結体３ｄの孔にズボン掛け体５のネジ挿通孔５ａを位置合わせして、両者３ｄ，５ａを通して対応する掛け本体２の第１取付け筒部２ｆのネジ受け穴２ｆａに共締めネジｂを螺合することによって、ズボン掛け体５が掛け本体２の両端に亘って架設される。この状態で共締めネジｂと掛け本体２の第１取付け筒部２ｆとの間に蓋体３の対応する端部とズボン掛け体５の対応する端部が共締め状態に固定される。この状態では、掛け本体２の第１取付け筒部２ｆと蓋体３の第２取付け筒部３ｄとズボン掛け体５とが一体化された固定状態となる。しかも、第１取付け筒部２ｆと第２取付け筒部３ｄとが当接状態となり、掛け本体２と蓋体３との間で一体化された筒部が形成されて、上着掛け部１の強度を増す芯材として作用することになるので、上着掛け部１の変形を防止することができる。
【００４９】
次いで、連結軸６Ａの取り付け部６ａにフックの取付け軸部４ａを圧入して取り付けることによって、衣服用ハンガーＡが完成する。
【００５０】
このような構成であれば、掛け本体２と蓋体３とが一体化され内部の中空空間が隠されて、全体として立体感のある衣服用ハンガーＡを形成することができる。
【００５１】
また、掛け本体２と蓋体３とズボン掛け体５は、大理石や翡翠調の模様と色彩と光沢が形成されているので、全体としてあたかもそのような素材を用いて製作されているかのような印象を見る人に与えることができるので、一般の衣服用ハンガーに比べて高級感を形成することができる。
【００５２】
さらに、掛け本体２と蓋体３は、掛け本体２側の環状溝２ｄに蓋体３側の環状突起３ａが嵌合しているので、正面視が湾曲形成されている蓋体が不意の外力が加わるような事態に遭遇することがあっても、掛け本体の開口部から蓋体が離隔し難いずれ防止構造を形成している。
【００５３】
［別実施形態］
１）上記実施形態では、ズボン掛け体５が設けられた衣服用ハンガーＡについて説明したが、本発明はこれに限らず、ズボン掛け体５が無く掛け本体２に蓋体３が閉止された衣服用ハンガーであってもよい。
【００５４】
２）上記実施形態では、連結手段６に吊下げ部材４であるフックを取り付けた衣服用ハンガーＡを説明したが、本発明はこれに限らず、掛け本体２に吊下げ部材を取り付けたものであってもよい。
【００５５】
３）上記実施形態では、掛け本体２側の第１取付け筒部２ｆと蓋体３側の第２取付け筒部３ｄとが、両部材２，３の閉止状態で先端面同士が当接する例を説明したが、本発明はこれに限らず、第１取付け筒部２ｆと第２取付け筒部３ｄの先端部同士が凹凸嵌合して、両筒部２ｆ，３ｄが当接する構造のであってもよい。
【図面の簡単な説明】
【００５６】
【図１】衣服用ハンガーの分解斜視図
【図２】衣服用ハンガーの正面図
【図３】連結手段の構造を示す要部断面図
【図４】共締め手段の構造を示す要部断面図
【符号の説明】
【００５７】
Ａ          衣服用ハンガー
ａ          連結ネジ
１          上着掛け部
２          掛け本体
２ｄ        環状溝
２ｆ        第１取付け筒部
２Ａ        肩部
２Ｃ        開口部
３          蓋体
３ａ        環状突起
３ｂ        固定連結体
４          吊下げ部材
４ａ        取付け軸部
４ｂ        抜止め突起
５          ズボン掛け体
６          連結手段
６Ａ        連結軸
６ａ        取付け孔
６ｂ        鍔部
６ｄ        異径軸部
【図１】
2007325785.tif 000003
【図２】
2007325785.tif 000004
【図３】
2007325785.tif 000005
【図４】
2007325785.tif 000006